(57)【要約】      （修正有）【課題】脱落を防止したランドセル本体の主収容室の内底面の取付ける補強板を提供する。【解決手段】ランドセル本体に設けた主収容室の内底面に位置する基板１１の長手方向両端に鍔部１２を設け、中央から長手方向の対称位置に第１、２連結金具を取付ける装着部１３を形成し、基板１１の表面全体に主収容室の内装生地と同じ生地からなる装飾生地２１を貼着してなる第１、２補強板１０の前記装着部１３の表面側に、円盤状に形成したキャップ部の裏側同心円上に鍔部を設けたキャップ体をそれぞれ取付可能に形成してなる。【選択図】図１
0003175539.tif 000002
【実用新案登録請求の範囲】
【請求項１】
ランドセル本体（１）に設けた主収容室（２）の内底面に位置する基板（１１）の長手方向両端に鍔部（１２、１２）を設け、長手方向の中央対称位置に第１連結金具（５０）を取付ける装着部（１３）を形成し、前記基板（１１）の表面全体に前記主収容室（２）の内装生地と同じ生地からなる装飾生地（２１）を貼着してなる第１補強板（１０）の前記装着部（１３）の表面側に、円盤状に形成したキャップ部（２６）の裏側同心円上に鍔部（２７）を設けたキャップ体（２５）を取付可能に形成してなることを特徴とするランドセル用補強板。
【請求項２】
前記第１補強板（１０）に設けた装着部（１３）は、前記第１連結金具（５０）のだるま環（５３）に一端を支持させたねじ軸（５４）が貫通する軸孔（１５）を中心に形成し、該軸孔と同心円上の表面側に前記キャップ体（２５）のキャップ部（２６）を装着する収容段部（１６）と鍔部（２７）を嵌合する係止段部（１７）を連設し、前記収容段部（１６）と係止段部（１７）との境で係止段部側に複数の貫通孔（１８、１８）を設け、該貫通孔の上端と接する収容段部（１６）の上面を中心方向に傾斜させた斜面部（１９）を形成し、該斜面部の下側に爪受段部（２０）をそれぞれ一体に設けてなることを特徴とする請求項１記載のランドセル用補強板。
【請求項３】
前記キャップ体（２５）は、上部に位置したキャップ部（２６）の下面に鍔部（２７）を設け、該鍔部の中心に凹部（２８）を形成し、前記鍔部（２７）の下辺で前記第１補強板（１０）の装着部（１３）に設けた貫通孔（１８、１８）と合致する位置にそれぞれ係止脚部（２９、２９）を設け、該係止脚部の先端外側に前記貫通孔（１８、１８）に設けた爪受段部（２０）に係止する爪部（３０、３０）をそれぞれ一体に設けてなることを特徴とする請求項１記載のランドセル用補強板。
【請求項４】
第２連結金具（５６）を取付ける第２補強板（３５）は、基板（３６）の中央に錠前部（５７）の雌型片（５９）を固着するための保持板（６２）が位置する嵌合凹部（３８）を設け、該嵌合凹部に前記雌型片（５９）の底面に設けた複数の係止脚部（６０、６０）が挿通する脚孔（３９、３９）を形成し、前記基板（３６）の短尺方向の背板側で左右対称位置にだるま環（６５）をそれぞれ固着する装着部（４０、４０）を形成し、該装着部は前記だるま環（６５）の頂部に一端を支持したねじ軸（６６）の他端が挿通する軸孔（４１）を中心に設け、該軸孔と同心円上の表面側にキャップ体（２５）のキャップ部（２６）を装着する収容段部（４２）とキャップ体（２５）の鍔部（２７）を嵌合する係止段部（４３）を連設し、且つ、前記収容段部（４２）と係止段部（４３）との境で係止段部側に複数の貫通孔（４４、４４）を設け、該貫通孔の上端と接する収容段部（４２）の上面を中心方向に傾斜させた斜面部（４５、４５）を形成し、該斜面部の下側に爪受段部（４６、４６）をそれぞれ一体に設けると共に、前記基板（３６）の表面全体に前記主収容室（２）の内装生地と同じ生地からなる装飾生地（４７）を貼着してなることを特徴とするランドセル用補強板。
【考案の詳細な説明】
【技術分野】
【０００１】
本考案は、ランドセル本体の主収容室の内底面の取付ける補強板の改良に関する。
【背景技術】
【０００２】
従来、学童用ランドセルは、各種教材を収容する主、副、小からなる収容室と、該収容室を覆うかぶせ蓋とによりランドセル本体を構成し、背板の上端中央に設けた背環に長尺な上ベルトの一端を取付け、他端をランドセル本体の底面に取付けた金属製の連結金具のだるま環に一端を連結した下ベルトとを長さ調整可能に連結する一対の背負ベルトとにより構成されている。
【０００３】
このランドセル本体の底面に取付けられている前記連結金具は、中央に前記かぶせ蓋の先端に取付けた係止板を着脱可能に係止する錠前部と、該錠前部の左右に背負ベルトの下ベルトの一端を連結するだるま環を位置して一体に形成してある。
【０００４】
前記だるま環と錠前部を一体型に形成した連結金具をランドセル本体の底面に取付ける場合、だるま環に一端を支持させて軸心方向に貫通したねじ軸の他端をランドセル本体の主収容室の内底面側にナットやかしめ止めなどで連結してあるものが知られている（参考文献１、２）。
【先行技術文献】
【特許文献】
【０００５】
【特許文献１】実用第３０４３２１８号
【特許文献２】実開平０３−１１７０７１号
【０００６】
前記主収容室は、内底面にだるま環を固着したねじ軸の先端が突出した状態のままであるため、主収容室に収容する教科書などの収納物が前記ねじ軸の先端や錠前部の保持板と当たって擦れて傷みやすい。また、そのまま露出した状態ではランドセルの主収容室の体裁が悪く、ランドセルの商品価値を低下させることにもなる。
【０００７】
そこでランドセル本体の主収容室の内底面には薄い板状の中底板を敷いて内面に突出しているねじ軸の先端を隠し、収納物が直接あたらないようにして傷むのを防止すると共に、ランドセルの体裁をよくしている。
【０００８】
しかし、前記中底板は、単に主収容室の内底面に落としこんであるだけであるため、ランドセルの振動や衝撃で揺れると中底板が偏り、縦方向に移動したりして内底面が露出するおそれがある。さらには、中底板は、前記したごとく、内底面に落としこんであるだけであるため抜け落ちて紛失しやすく、紛失すると主収容室の内底面にねじ軸の先端が露出し、収容した収納物が傷みの原因となりやすく不便であった。また、中底板はランドセル本体の内装生地と同じ生地を使用することにより主収容室と一体感があるが、中底板を紛失するとランドセル本体の内装生地と相違して違和感を生ずるなどの多くの問題点を有している。
【考案の概要】
【考案が解決しようとする課題】
【０００９】
本考案が解決しようとする課題は、ランドセル本体の内底面に落としこんだだけの紛失しやすい中底板を廃止して連結金具を取付ける補強板で中底板を兼ねることにより、部品数を減らしてランドセルの軽量化を図り、内底面に露出するねじ軸の先端を保護キャップをかぶせて内底面上をフラットにして収容する教科書などの収納物が傷むのを防止し、且つ、補強板を内底面に固定することにより補強板が脱落して紛失するのを防止し、さらに、補強板の表面にランドセル本体の内装生地と同じ生地を装着することによりランドセル本体の主収容室の体裁を良くすることを目的とするものである。
【課題を解決するための手段】
【００１０】
ランドセル本体１に設けた主収容室２の内底面に位置する基板１１の長手方向両端に鍔部１２、１２を設け、長手方向の中央対称位置に第１連結金具５０を取付ける装着部１３を形成し、前記基板１１の表面全体に前記主収容室２の内装生地と同じ生地からなる装飾生地２１を貼着してなる第１補強板１０の前記装着部１３の表面側に、円盤状に形成したキャップ部２６の裏側同心円上に鍔部２７を設けたキャップ体２５を取付可能に形成してなることを特徴とする。また、前記第１補強板１０に設けた装着部１３は、前記第１連結金具５０のだるま環５３に一端を支持させたねじ軸５４が貫通する軸孔１５を中心に形成し、該軸孔と同心円上の表面側に前記キャップ体２５のキャップ部２６を装着する収容段部１６と鍔部２７を嵌合する係止段部１７を連設し、前記収容段部１６と係止段部１７との境で係止段部側に複数の貫通孔１８、１８を設け、該貫通孔の上端と接する収容段部１６の上面を中心方向に傾斜させた斜面部１９、１９を形成し、該斜面部の下側に爪受段部２０、２０をそれぞれ一体に設けてなることを特徴とする。さらに、前記キャップ体２５は、上部に位置したキャップ部２６の下面に鍔部２７を設け、該鍔部の中心に凹部２８を形成し、前記鍔部２７の下辺で前記第１補強板１０の装着部１３に設けた貫通孔１８、１８と合致する位置にそれぞれ係止脚部２９、２９を設け、該係止脚部の先端外側に前記貫通孔１８、１８に設けた爪受段部２０に係止する爪部３０、３０を一体に設けてなることを特徴とする。
【００１１】
また、第２連結金具５６を取付ける第２補強板３５は、基板３６の中央に錠前部５７の雌型片５９を固着するための保持板６２が位置する嵌合凹部３８を設け、該嵌合凹部に前記雌型片５９の底面に設けた複数の係止脚部６０、６０が挿通する脚孔３９、３９を形成し、前記基板３６の短尺方向の背板側で左右対称位置にそれぞれだるま環６５を固着する装着部４０を形成し、該装着部は前記だるま環６５の頂部に一端を支持したねじ軸６６の他端が挿通する軸孔４１を中心に設け、該軸孔と同心円上の表面側にキャップ体２５のキャップ部２６を装着する収容段部４２とキャップ体２５の鍔部２７を嵌合する係止段部４３を連設し、且つ、前記収容段部４２と係止段部４３との境で係止段部側に複数の貫通孔４４、４４を設け、該貫通孔の上端と接する収容段部４２の上面を中心方向に傾斜させた斜面部４５、４５を形成し、該斜面部の下側に爪受段部４６、４６をそれぞれ一体に設けると共に、前記基板３６の表面全体に前記主収容室２の内装生地と同じ生地からなる装飾生地４７を貼着してなることを特徴とする。
【００１２】
したがって、ランドセル本体１の外底面２ａに連結金具５０、５６を取付けると同時に、主収容室２の内底面に補強板１０、３５を固着することができるので、従来の補強板が不要となり部品数を減らしてランドセルの軽量化を図ることができる。また補強板１０、３５を主収容室２の内底面に固着したことにより離脱しないので紛失するおそれがない。さらに、内底面に突出したねじ軸５４、６６の先端を装着部１３、４０に嵌合固着するキャップ体２５によりカバーすることにより、補強板１０、３５の表面側にねじ軸５４、６２の先端が突出しないので収容物が傷付くのを防止することができる。さらにはまた、補強板１０、３５の表面全体には、主収容室の内装生地と同一の装飾生地２１、４７をそれぞれ貼着してあるため、主収容室２内に違和感がなく一体化することにより高級感を生じさせることができる。また、キャップ体２５の係止脚部２９に設けた爪部３０と補強板１０、３５の装着部１３、４０に設けた爪受段部２０、４６に嵌合係止することにより、脱落するおそれがなく安全である。
【図面の簡単な説明】
【００１３】
【図１】第１補強板の一部破断した平面図である。
【図２】第１補強板をランドセル本体の主収容室に収容した状態の平面図である。
【図３】ランドセル本体の外底面に第１連結金具を取付けた状態の底面図である。
【図４】図２のＢ―Ｂ線拡大断面図である。
【図５】図１のＡ―Ａ線断面図である。
【図６】補強板に設けた装着部の平面図である。
【図７】装着部の底面図である。
【図８】キャップ体の正面図である。
【図９】キャップ体の底面図である。
【図１０】装着部にキャップ体を嵌合する前の状態を示す断面図である。
【図１１】装着部にキャップ体を嵌合した状態を示す断面図である。
【図１２】装着部にキャップ体を嵌合した状態の要部拡大断面図である。
【図１３】第２補強板の一部破断した平面図である。
【図１４】図１３のＣ―Ｃ線断面図である。
【図１５】第２補強板に設けた装着部の要部拡大断面図である。
【図１６】第２補強板をランドセル本体の主収容室に収容した状態の平面図である。
【図１７】ランドセル本体の外底面に第２連結金具を取付けた状態の底面図である。
【図１８】第２連結金具の錠前部を構成する雌型片の取付状態を示す説明図である。
【考案を実施するための形態】
【００１４】
本考案の第１の実施の形態を図面に基づいて説明すると、図１は第１補強板の平面図、図２は第１補強板をランドセル本体の主収容室に収容した状態の平面図、図３はランドセル本体の外底面に第１連結金具を取付けた状態の底面図、図４は図２のＢ―Ｂ線拡大断面図、図５は図１のＡ―Ａ線断面図、図６は補強板に設けた装着部の平面図、図７は装着部の底面図、図８はキャップ体の正面図、図９はキャップ体の底面図である。ランドセル本体１の主収容室２は、背板３の背後に位置する底面部と両側マチ部を一体に形成した大マチ板５と、副収容部６を形成する中仕切板７とにより構成され、前記主収容部２の内底面に第１補強板１０を取付けてある。
【００１５】
前記第１補強板１０は、図１、２、４、５に示すごとく、硬質合成樹脂材により主収容部２の内底面とほぼおなじ大きさに形成した基板１１の長手方向の両端で短尺方向に鍔部１２を設け、前記基盤１１の中央左右対称位置にランドセル本体１の外底面に取付ける後記する第１連結金具５０を固着する装着部１３、１３を設けてある。
【００１６】
前記装着部１３は、図５、６、７、１０、１１に示すごとく、中央に第１連結金具５０のだるま環５３の頂部に一端を軸支したねじ軸５４を挿通する軸孔１５を設け、該軸孔の表面側で同心円上に後記するキャップ体２５のキャップ部２６が嵌合する収容段部１６と鍔部２７が嵌合する係止段部１７をそれぞれ異径の多段に連設してある。
【００１７】
前記収容段部１６と係止段部１７との境で係止段部１７側に複数の貫通孔１８、１８を十字方向の対称位置にそれぞれ設け、該貫通孔に隣設する収容段部１６の上面を中心方向に傾斜させた斜面部１９、１９を形成し、該斜面部の内縁下側に前記キャップ体２５の係止脚部２９に設けた爪部３０が係止する爪受段部２０、２０を設けてそれぞれ一体に設けてある。
【００１８】
２１は基板１１の表面全体に貼着した装飾生地で、ランドセル本体１の主収容室２の内側に装着した布製またはビニール製の内装生地と同一の生地を貼着することにより、主収容室２内を違和感なく一体化することができるのでランドセルに高級感を生じさせることができる。
【００１９】
図８から１１に示すキャップ体２５は、円盤状に形成したキャップ部２６の下面に前記装着部１３の係止段部１７に嵌合する鍔部２７を設け、該鍔部の内側中央に第１、２連結金具５０、５６を固定するねじ軸５４、６６の先端を収容する凹部２８を形成し、前記鍔部２７の下辺には、前記装着部１３の貫通孔１８と合致する位置に係止脚部２９を設け、該係止脚部の先端外側に前記装着部１３の貫通孔１８に設けた爪受段部２０に係止する爪部３０を一体に形成してある。
【００２０】
５０はランドセル本体１の外底面に取付ける第１連結金具で、図３、４に示すごとく、中央にかぶせ蓋の先端に取付けた係止板（図示せず）を着脱可能に係止する錠前部５１と、該錠前部の左右両側の対称位置に背負ベルトの下ベルトの一端を連結するだるま環５３を位置して一体に形成してある。この第１連結金具５０のランドセル本体１への取付けは、前記だるま環５３の頂部から中央軸心方向に支持させたねじ軸５４の先端を第１補強板１０の装着部１３に締着手段、例えば、ナットやかしめ手段などで固着してある。
【００２１】
本考案の第２の実施の形態を図面に基づいて説明すると、図１３は第２補強板の一部破断した平面図、図１４は図１３のＣ―Ｃ線断面図、図１５は第２補強板に設けた装着部の要部拡大断面図、図１６は第２補強板をランドセル本体の主収容室に収容した状態の平面図、図１７はランドセル本体の外底面に第２連結金具を取付けた状態の底面図、図１８は第２連結金具の錠前部を構成する雌型片の取付状態を示す説明図である。第2補強板３５は、硬質合成樹脂材により形成した基板３６の長手方向両端に鍔部３７を形成し、前記基板３６の表面中央に後記する第２連結金具５６の錠前部５７を構成する雌型片５９を固着する保持板６２を収容する嵌合凹部３８を設けてある（図１３、１４）。前記嵌合凹部３８には、前記雌型片５９の底面に設けた複数の係止脚部６０が挿通する脚孔３９を複数形成し、前記基板３６の背板側の左右対称位置に、だるま環６５を取付ける装着部４０を設けてある。
【００２２】
前記装着部４０は、図１５に示すごとく、中心に前記だるま環６５のねじ軸６６を貫通する軸孔４１を設け、該軸孔と同心円上の表面側に前記キャップ体２５のキャップ部２６を装着する収容段部４２とキャップ体２５の鍔部２７を嵌合する係止段部４３を連設してある。
【００２３】
前記収容段部４２と係止段部４３との境で係止段部側に複数の貫通孔４４、４４を十字方向の対称位置にそれぞれ設け、該貫通孔の上端と接する収容段部４２の上面を中心方向に傾斜させた斜面部４５を形成し、該斜面部の下面に前記キャップ体２５の係止脚部２９に設けた爪部３０が係止する爪受段部４６、４６をそれぞれ一体に設けてある。  
【００２４】
４７は基板３６の表面全体に貼着した装飾生地で、ランドセル本体１の主収容室２の内側に装着した布製またはビニール製の内装生地と同一の生地を貼着し、主収容室２内を一体化することにより違和感がなくランドセルに高級感を生じさせることができる。前記第２補強板３５の装着部４０に取付けるキャップ体は、前記第１補強板１０に取付けたキャップ体２５と同一の構成であるため重複することから説明を省略する。
【００２５】
５６はランドセル本体１の外底面２ａに取付ける第２連結金具で、図１７に示すごとく、中央にかぶせ蓋の先端に取付ける錠前部５７と、下ベルトの一端を連結する一対のだるま環６５を外底面２ａの背板側の対称位置にそれぞれ独立して取付けてある。
【００２６】
前記錠前部５７は図１８に示すごとく、かぶせ蓋の先端に取付ける雄型片５８と、ランドセル本体１の外底面２ａの中央に取付ける雌型片５９とからなり、該雌型片の底面に設けた複数の係止脚部６０を第２補強板３５の嵌合凹部３８に設けた脚孔３９に挿通して裏面側に位置した保持板６２の爪受部６４に掛止して取付けてある。
【００２７】
以下、本考案の第１補強板１０の実施の形態の作用について説明すると、ランドセル本体１の外底面２ａに第１連結金具５０を取付ける場合、主収容部２の内底面に第１補強板１０を敷き、次いで、第１連結金具５０のだるま環５３の頂部中央から第１補強板１０の装着部１３にねじ軸５４を挿通し、該ねじ軸の先端にナット５５を螺合させての係止段部１７に固着する。前記係止段部１７にねじ軸５４を固着することにより、基板１１の上面からねじ軸５４の先端が突出するのを防止することができる。
【００２８】
ランドセル本体１の外底面２ａに位置した第１連結金具５０と、内底面に位置した第１補強板１０を同時に固着することができるので、取付作業の効率化を図ることができ、また、ランドセル本体１の内底面に第１補強板１０を固定したことにより、補強板が脱落して紛失するおそれがない。さらに、ねじ軸５４の先端を係止段部１７に固着したことにより、基板１１の表面側にねじ軸５４の先端が突出するのを防止することができる。
【００２９】
次いで、図１０、１１に示すごとく、基板１１の表面側からキャップ体２５を装着部１３にかぶせて嵌合する。キャップ体２５の装着は、各係止脚部２９を貫通孔１８にそれぞれ挿入すると、係止脚部２９の下端に設けた爪部３０が斜面部１９に当接する。さらにキャップ体２５を押圧すると、その押圧力により係止脚部２９が斜面部１９を可撓しながら滑って貫通孔１８に入って爪部３０が爪受段部２０に嵌合係止する。
【００３０】
キャップ体２５の爪部３０が爪受段部２０に嵌合係止すると同時に、キャップ部２６が収容段部１６に、鍔部２７が係止段部１７にそれぞれ当接して嵌合し、第１補強板１０の上面とキャップ体２５の上面とをフラットに形成することができる。また、係止段部１７に固着したねじ軸５４の先端は、キャップ体２５の裏面に設けた凹部２８内に収容することにより基板１１の表面を平坦にすることができる。
【００３１】
したがって、主収容室２に収容した教科書などの収容物の底面が傷付くのを防止することができる。また、図１２に示すごとく、基板１１にかぶせた装飾生地２１の開口部内縁２２は、装着部１３の収容段部１６の中央部分に位置し、キャップ体２５を取付ける際、キャップ部２６の裏面と収容段部１６とに挟着されて収容するので剥がれるおそれがない。
【００３２】
第１補強板１０の表面全体には、主収容室２の内装生地と同一の装飾生地２１を貼ってあるため、主収容室内が違和感なく一体化することができるのでランドセルに高級感を生じさせることができる。さらに、キャップ体２５は、底面の係止脚部２９に設けた爪部３０を装着部１３に設けた爪受段部２０に嵌合係止することにより、脱落するおそれがなく安全である。
【００３３】
第２補強板３５の実施の形態の作用について説明すると、ランドセル本体１の外底面２ａに第２連結金具５６を取付ける場合、ランドセル本体１の主収容部２内に第２補強板３５を位置する。次いで、図１８に示すごとく、第２連結金具５６の錠前部５７の雌型片５９に設けた係止脚部６０をランドセル本体１の外底面側から挿入し、第２補強板３５の嵌合凹部３８に位置させた保持板６２の脚孔６３に設けた爪受部６４に爪部６１を嵌合係止する。
【００３４】
一対のだるま環６５、６５は、それぞれの一端を頂部中央に軸止したねじ軸６６の他端をそれぞれ第２補強板３５の装着部４０に設けた軸孔４１に挿通し、該ねじ軸の先端にナット６７を螺合して係止段部４３に締着する（図１５）。
【００３５】
第２連結金具５６は、中央に錠前部５７の雌型片５９を取付け、基板３６の背板側の左右対称位置にだるま環６５を取付けてランドセル本体の外底面を三角形の三点支持にすることにより、ランドセル本体１を安定して立脚させることができる。且つ、第２補強板３５は、主収容室２の内底面にねじ軸６６で第２連結金具５６と同時に固着するので、ランドセル本体１から脱落して紛失するおそれがない。また、ねじ軸６６の先端は、基板３６に設けた装着部４０の表面側をキャップ体２５で覆うことにより、基板３６の表面側を平坦にすることができるので、ランドセル本体内に収容する教科書などの収容物が傷付くのを防止することができる。
【００３６】
さらには、第２補強板３５の表面全体に主収容室２の内装生地と同一の装飾生地４７を貼ってあるため、主収容室内が違和感なく一体化することができるのでランドセル本体に高級感を生じさせることができる。さらに、キャップ体２５は、底面の係止脚部２９に設けた爪部３０を装着部４０に設けた爪受段部４６に嵌合係止することにより、脱落するおそれがなく安全である。
【符号の説明】
【００３７】
１    ランドセル本体
２    主収容室
３    背板
５    大マチ部
６    副収容室
７    仕切板
８    底面部
１０  第１補強板
１１  基板
１２  鍔部
１３  装着部
１５  軸孔
１６  収容段部
１７  係止段部
１８  貫通孔
１９  斜面部
２０  爪受段部
２１  装飾生地
２５  キャップ体
２６  キャップ部
２７  鍔部
２８  凹部
２９  係止脚部
３０  爪部
３５  第２補強板
３６  基板
３７  鍔部
３８  嵌合凹部
３９  脚孔
４０  装着部
４１  軸孔
４２  収容段部
４３  係止段部
４４  貫通孔
４５  斜面部
４６  爪受段部
４７  装飾生地
５０  第１連結金具
５１  錠前部
５３  だるま環
５４  ねじ軸
５６  第２連結金具
５７  錠前部
６５  だるま環
６６  ねじ軸
【図１】
0003175539.tif 000003
【図２】
0003175539.tif 000004
【図３】
0003175539.tif 000005
【図４】
0003175539.tif 000006
【図５】
0003175539.tif 000007
【図６】
0003175539.tif 000008
【図７】
0003175539.tif 000009
【図８】
0003175539.tif 000010
【図９】
0003175539.tif 000011
【図１０】
0003175539.tif 000012
【図１１】
0003175539.tif 000013
【図１２】
0003175539.tif 000014
【図１３】
0003175539.tif 000015
【図１４】
0003175539.tif 000016
【図１５】
0003175539.tif 000017
【図１６】
0003175539.tif 000018
【図１７】
0003175539.tif 000019
【図１８】
0003175539.tif 000020